(57)【要約】【課題】  両電気音響変換器から出た音が互いに干渉することのない表裏一体型の電気音響変換器及びこれを組み込んだ携帯端末装置を提供【解決手段】  携帯端末装置３０の筐体３１は筐体Ａと筐体Ｂとを接合一体化したものである。隔壁３１ａ、３１ｂの上端を覆っている天蓋３２にはスピーカ１の放音孔１７ａを開放する穴３２ａと音響管１７ｃが貫通する穴３２ｂとが形成されている。筐体３１の内部空間から隔壁３１ａ、３１ｂと天蓋３２とによって区分されたスピーカ１が収納されている第２の電気音響変換器用空間３５はスピーカＢ３の後気室２１とつながっている。第２の電気音響変換器用空間３５の外側の閉じられた空間は第１の電気音響変換器用空間３４である。音孔空間１、２２は音孔１、３１ｃを通って筐体３１の外部へ通じている。スピーカ１の外側でクッション３３の内側の音孔部空間２、３８は、音孔２、３１ｄから筐体３１外部へ通じている。【選択図】      図３
2006191213.tif 000002
【特許請求の範囲】
【請求項１】
少なくともフレームと、このフレームに固定されたポールピースと、このポールピースに固定された第１の磁石と、この第１の磁石に固定された第１のトッププレートと、前記フレームに固定された第１の振動板と、この第１の振動板に固定された第１のボイスコイルと、この第１の振動板を保護するための第１のプロテクタとから成る第１の電気音響変換器並びに、前記ポールピースと、このポールピースに固定された第２の磁石と、この第２の磁石に固定された第２のトッププレートと、前記フレームに固定された第２の振動板と、この第２の振動板に固定された第２のボイスコイルと、この第２の振動板を保護するための第２のプロテクタとから成る第２の電気音響変換器を複合した電気音響変換器において、少なくともいずれか一方の前記電気音響変換器に音、即ち、空気圧力を導く音響管を設けたことを特徴とする電気音響変換器。
【請求項２】
前記音響管は少なくとも一方の前記振動板の前気室と後気室とに通じており、各々の前記音響管の開口部が同一面に形成されていることを特徴とする請求項１記載の電気音響変換器。
【請求項３】
前記音響管は２本が形成されていることを特徴とする請求項１記載の電気音響変換器。
【請求項４】
少なくともフレームと、このフレームに固定されたポールピースと、このポールピースに固定された第１の磁石と、この磁石に固定された第１のトッププレートと、前記フレームに固定された第１の振動板と、この第１の振動板に固定された第１のボイスコイルと、前記第１の振動板を保護するための第１のプロテクタとから成る第１の電気音響変換器並びに、前記ポールピースと、このポールピースに固定された第２の磁石と、この磁石に固定された第２のトッププレートと、前記フレームに固定された第２の振動板と、この第２の振動板に固定された第２のボイスコイルと、前記第２の振動板を保護するための第２のプロテクタとから成る第２の電気音響変換器とを複合した電気音響変換器を組み込んだ携帯端末装置において、筐体に設けられた音孔部とつながった２カ所の空間である音孔部空間を除く前記筐体の内部空間を前記第１の電気音響変換器の音孔部空間とつながっていない変換器内空間を導く第１の電気音響変換器用空間と前記第２の電気音響変換器の音孔部空間とつながっていない変換器内空間を導く第２の電気音響変換器用空間とに分離したことを特徴とする携帯端末装置。
【請求項５】
前記第１の電気音響変換器用空間につながった音孔又は前記第２の電気音響変換器用空間につながった音孔の少なくとも何れか一方を前記筐体に追加したことを特徴とする請求項４記載の携帯端末装置。
【請求項６】
前記筐体内部に形成した隔壁とこの隔壁に被せた天蓋とによって前記第２の電気音響変換器用空間を形成し、この第２の電気音響変換器用空間に収納した前記電気音響変換器の外形に対応した前記天蓋の位置に穴を設けたことを特徴とする請求項４記載の携帯端末装置。
【請求項７】
前記第１の電気音響変換器用空間と前記第２の電気音響変換器用空間の少なくとも何れか一方につながった音響管を前記電気音響変換器の側面又は上下面の少なくとも一カ所に形成したことを特徴とする請求項４記載の携帯端末装置。
【発明の詳細な説明】
【技術分野】
【０００１】
本発明は携帯電話等の移動体通信機に組み込まれ、電気信号を音響に変換して、あるいは着信音を生じ、あるいは伝送される音声を再生する電気音響変換器及び携帯端末装置に関する。
【背景技術】
【０００２】
従来、携帯電話等は、ブザー音やメロディ音を発して使用者に着信を知らせるスピーカ機能と、音声を伝えるレシーバ機能を持つ。スピーカは楽音の再生が主なので広帯域、例えば２０Ｈｚ〜２０ｋＨｚであり、レシーバは音声の再生なので挟帯域、例えば３００Ｈｚ〜３、４ｋＨｚであるという違いがあるが、機器によっては小型化のために、スピーカとレシーバとをそれぞれ設けることをせず、それらを複合させて１個の電気音響変換器にパッケージしたものがある（例えば、特許文献１参照。）。
【０００３】
図９はこのような従来の電気音響変換器を組み込んだ携帯端末装置を示す断面図である。図９において、８１は一方の電気音響変換器であるスピーカＡ８１ａと他方の電気音響変換器であるスピーカＢ８１ｂとが表裏一体に複合した従来の電気音響変換器であるスピーカを示している。８２はスピーカＡ８１ａの振動板Ａを示しており、８３はスピーカＢ８１ｂの振動板Ｂを示している。８４はスピーカ８１のフレームを示しており、横穴である後方放音孔８４ａ及び８４ｂが設けてある。８５は放音孔８５ａを持つスピーカＡ８１のプロテクタＡを示しており、８６は放音孔８６ａを持つスピーカＡ８１のプロテクタＡを示している。８７は振動板Ａ８２及び振動板Ｂ８３の前方の空間である前気室８７ａ及び８７ｂを示しており、８８は振動板Ａ８２及び振動板Ｂ８３の後方の空間である後気室８８ｂ及び８８ｂを示している。
【０００４】
９０はスピーカ８１を組み込んだ携帯端末装置を示している。９１は携帯端末装置９０の筐体を示している。筐体９１は筐体Ａ９２と筐体Ｂ９３とを接合したものである。９４は筐体９１とスピーカ８１との間の後述するクッションで囲まれた一方の音孔部空間１を示しており、９５は同じく他方の音孔部空間２を示している。９６はクッション９１の外側の内部空間を示している。９７は筐体９１の内面にスピーカ８１を保持して内部空間９６を音孔部空間１、９４と音孔部空間２、９５とに分離しているクッションを示している。音孔部空間１、９４は筐体Ａ９２に設けられた複数の放音孔１、９１ｂを通じて外部へ通じており、音孔部空間２、９５は筐体Ｂ９３に設けられた複数の放音孔２、９１ｄを通じて外部へ通じている。
【０００５】
スピーカＡ８１ａを駆動したときには前気室８７ａから出た音はプロテクタＡ８５の放音孔８５ａから音孔部空間１、９４を経由して放音孔１、９１ｂから筐体９１の外へ出る。また、スピーカＢ８１ｂを駆動したときには前気室８７ｂから出た音はプロテクタＢ８６の放音孔８６ａから音孔部空間２、９５を経由して放音孔２、９１ｄから筐体９１外へ出ることになる。
【特許文献１】特開２００２−３３５５９７号公報（図１）
【発明の開示】
【発明が解決しようとする課題】
【０００６】
しかし、スピーカＡ８１ａを駆動したときには後気室８８ａから後方放音孔８４ａを通って筐体９１の内部空間９６に出る音があり、この音は後方放音孔８４ｂからスピーカＢ８１ｂの中へ入って、振動板Ｂ８３を動かして発音させることになるから、この音は放音孔８６ａから音孔部空間２、９５を経由して音孔２、９１ｃ及び放音孔９１ｄから筐体９１外へ出ることになる。同様にスピーカＢ８１ｂを駆動したときには後方放音孔８４ｂから出た音が後方放音孔８４ａから入ってスピーカＡ８１ａの振動板Ａ８２を動かして発音させることになるから、この音は前気室から８７ａから音孔部空間１、９４を経由して筐体９１外へ出ることになる。このような作用があるので、一方のスピーカを駆動した際に内部空間及び筐体外部において音が干渉し、互いの音響特性に悪影響を与えるという問題がある。
【０００７】
本発明は、このような従来の問題を解決するためになされたものであり、その目的は、両電気音響変換器から出た音が互いに干渉することのない表裏一体型の電気音響変換器及びこれを組み込んだ携帯端末装置を提供することである。
【課題を解決するための手段】
【０００８】
前述した目的を達成するための本発明の手段は、少なくともフレームと、このフレームに固定されたポールピースと、このポールピースに固定された第１の磁石と、この第１の磁石に固定された第１のトッププレートと、前記フレームに固定された第１の振動板と、この第１の振動板に固定された第１のボイスコイルと、この第１の振動板を保護するための第１のプロテクタとから成る第１の電気音響変換器並びに、前記ポールピースと、このポールピースに固定された第２の磁石と、この第２の磁石に固定された第２のトッププレートと、前記フレームに固定された第２の振動板と、この第２の振動板に固定された第２のボイスコイルと、この第２の振動板を保護するための第２のプロテクタとから成る第２の電気音響変換器を複合した電気音響変換器において、少なくともいずれか一方の前記電気音響変換器に音、即ち、空気圧力を導く音響管を設けたことを特徴とする。
【０００９】
また、前記音響管は少なくとも一方の前記振動板の前気室と後気室とに通じており、各々の前記音響管の開口部が同一面に形成されていることを特徴とする。
【００１０】
また、前記音響管は２本が形成されていることを特徴とする。
【００１１】
また、前述した目的を達成するための本発明の他の手段は、少なくともフレームと、このフレームに固定されたポールピースと、このポールピースに固定された第１の磁石と、この磁石に固定された第１のトッププレートと、前記フレームに固定された第１の振動板と、この第１の振動板に固定された第１のボイスコイルと、前記第１の振動板を保護するための第１のプロテクタとから成る第１の電気音響変換器並びに、前記ポールピースと、このポールピースに固定された第２の磁石と、この磁石に固定された第２のトッププレートと、前記フレームに固定された第２の振動板と、この第２の振動板に固定された第２のボイスコイルと、前記第２の振動板を保護するための第２のプロテクタとから成る第２の電気音響変換器とを複合した電気音響変換器を組み込んだ携帯端末装置において、筐体に設けられた音孔部とつながった２カ所の空間である音孔部空間を除く前記筐体の内部空間を前記第１の電気音響変換器の音孔部空間とつながっていない変換器内空間を導く第１の電気音響変換器用空間と前記第２の電気音響変換器の音孔部空間とつながっていない変換器内空間を導く第２の電気音響変換器用空間とに分離したことを特徴とする。
【００１２】
また、前記第１の電気音響変換器用空間につながった音孔又は前記第２の電気音響変換器用空間につながった音孔の少なくとも何れか一方を前記筐体に追加したことを特徴とする。
【００１３】
また、前記筐体内部に形成した隔壁とこの隔壁に被せた天蓋とによって前記第２の電気音響変換器用空間を形成し、この第２の電気音響変換器用空間に収納した前記電気音響変換器の外形に対応した前記天蓋の位置に穴を設けたことを特徴とする。
【００１４】
また、前記第１の電気音響変換器用空間と前記第２の電気音響変換器用空間の少なくとも何れか一方につながった音響管を前記電気音響変換器の側面又は上下面の少なくとも一カ所に形成したことを特徴とする。
【発明の効果】
【００１５】
本発明によれば、少なくともフレームと、このフレームに固定されたポールピースと、このポールピースに固定された第１の磁石と、この第１の磁石に固定された第１のトッププレートと、前記フレームに固定された第１の振動板と、この第１の振動板に固定された第１のボイスコイルと、この第１の振動板を保護するための第１のプロテクタとから成る第１の電気音響変換器並びに、前記ポールピースと、このポールピースに固定された第２の磁石と、この第２の磁石に固定された第２のトッププレートと、前記フレームに固定された第２の振動板と、この第２の振動板に固定された第２のボイスコイルと、この第２の振動板を保護するための第２のプロテクタとから成る第２の電気音響変換器を複合した電気音響変換器において、少なくともいずれか一方の前記電気音響変換器に音、即ち、空気圧力を導く音響管を設けたので、表裏一体型の電気音響変換器において、両電気音響変換器から出た音が互いに干渉しないので両電気音響変換器の音響特性を改善することができた。また、一方のスピーカを着信用、他方のスピーカを受話用として使用した場合に、誤って受話時に着信用スピーカが駆動した際に、内部空間が分離して干渉しないために、受話側から着信音用スピーカの音が漏れず、イヤープロテクトの改善を図ることができた。
【発明を実施するための最良の形態】
【００１６】
以下、本発明の電気音響変換器及び携帯端末装置について図面を参照して詳細に説明する。図１は本発明の第１の実施の形態である電気音響変換器を示す断面図、図２は図１の電気音響変換器を組み込んだ携帯端末装置を示す平面図、図３は図２の縦断面を示す断面図である。図４は図３のＡ−Ａ矢視平面を示す平面図である。
【００１７】
まず、本発明の第１の実施の形態である電気音響変換器の構成について説明する。図１において、１は第１の電気音響変換器としてのスピーカＡ２とスピーカＢ３とが表裏一体に複合した本発明の第１の実施の形態である電気音響変換器としてのスピーカを示している。４はスピーカ１の樹脂成形品であるフレームを示している。５はフレーム４に保持されたポールピースを示しており、フレーム４とポールピース５とはスピーカＡ２及びＢ３に共通の構成要素である。６はポールピース５のセンターポール５ｂに接合された円盤状の磁石Ａを示している。７はポールピース５のフランジ５ａに接合された環状の磁石Ｂを示している。８は磁石Ａ６の上に接合されたトッププレートＡを、９は磁石Ｂ７下面に接合されたトッププレートＢを示している。
【００１８】
１０はスピーカＡ２の振動板Ａを、１１はスピーカＢ３の振動板Ｂを示しており、１２はスピーカＡ２のボイスコイルＡを、１３はスピーカＢ３のボイスコイルＢを示している。１４はフレーム４とともに振動板Ａ１２を挟んでいるリングを示している。ボイスコイルＡ１２はトッププレートＡ８とポールピース５との隙間である磁気ギャップ１５に臨んでおり、ボイスコイルＢ１１はトッププレートＢ９とポールピース５との隙間である磁気ギャップ１６に臨んでいる。１７は複数の放音孔１７ａを配設したプロテクタＡを示している。１８は振動板Ａ１０の前側である前気室を、１９同じく後側である後気室を示している。２０は振動板Ｂ１１の前側である前気室を、２１は同じく後側である後気室を示している。プロテクタＡ１７の側方には後気室１９から後方放音孔１７ｂを通ってスピーカ１外部へ通じる音響管１７ｃが立ち上がって一体に形成されている。ここで音響管１７ｃとは単なる通気管とは異なり、音、即ち、空気圧力を導くための管であることを意味している。２３は複数の放音孔２３ａを配設したプロテクタＢを示しており、振動板Ｂ１１を間に挟むようにフレーム４に固定されている。
【００１９】
次に、本発明の第１の実施の形態である電気音響変換器を組み込んだ携帯端末装置についてその構成を説明する。図２及び図３において、３０はスピーカ１を組み込んだ携帯端末装置を示している。３１は樹脂成形品から成る携帯端末装置３０の筐体を示しており、筐体３１は筐体Ａと筐体Ｂとを接合一体化したものである。図４ではスピーカ１を図示していないが、筐体３１底面から側面にかけて隔壁３１ａ、３１ｂが立ち上がっている。３２は隔壁３１ａ、３１ｂの上端を覆って接合されているプリント基板又はプラスチック板から成る天蓋を示している。天蓋３２にはスピーカ１の放音孔１７ａを開放する穴３２ａと音響管１７ｃが貫通する穴３２ｂとが形成されている。３３はスピーカ１と筐体３１との間に配設した環状の内部空間分離用のクッションを示している。
【００２０】
３５は筐体３１の内部空間から隔壁３１ａ、３１ｂと天蓋３２とによって区分されたスピーカ１が収納されている第２の電気音響変換器用空間を示している。第２の電気音響変換器用空間３５はスピーカＢ３の後気室２１とつながっている。３４は第２の電気音響変換器用空間３５の外側の閉じられた空間である第１の電気音響変換器用空間を示している。音孔空間１、２２は音孔１、３１ｃを通って筐体３１の外部へ通じている。３６は音響管１７ｃと音孔１、３１ｃとの間に配設したガスケットを示している。３８はスピーカ１の外側でクッション３３の内側の音孔部空間２を示しており、音孔２、３１ｄから筐体３１外部へ通じている。
【００２１】
次に、本発明の第１の実施の形態である電気音響変換器及び携帯端末装置の作用効果について説明する。スピーカＡ２を駆動したときにはスピーカＡ２の前気室１８から出た音はスピーカＡ２の放音孔１７ａから第１の電気音響変換器用空間へ出る。一方、後気室１９から出た音は後方放音孔１７ｂから音響管１７ｃの音孔部空間１、２２を通って筐体３１外へ音が出る。また、スピーカＢ３を駆動したときには前気室２０から出た音は音孔部空間２、３８から音孔２、３１ｃを通って筐体３１の外部へ出る。一方、後気室２１から出た音は後方放音孔４ａを通ってクッション３３の外側の閉じられた空間である第２の電気音響変換器用空間３５へ出る。従って、スピーカＡ２の音とスピーカＢ３の音とは互いに干渉することがない。
【００２２】
次に、本発明の第２の実施の形態について説明する。図５は本発明の第２の実施の形態である電気音響変換器及び携帯端末装置を示す断面図である。図５において、４０はスピーカ１を組み込んだ第２の実施の形態である携帯端末装置を示している。筐体３１が第１の実施の形態における筐体３１と異なるところは第１の音響変換器用空間３７を筐体３１の外部へ通じる音孔３、３１ｅが追加されているところだけである。その他の構成は第１の実施の形態と同じであるから、同じ構成要素には同じ符号と名称とを付して詳細な説明を省略する。
【００２３】
次に、本発明の第２の実施の形態である電気音響変換器及び携帯端末装置の作用効果について説明する。スピーカＡ２を駆動したときにスピーカＡ２の前気室１８から出た音は第１の電気音響変換器用空間３４へ出るが、第１の電気音響変換器用空間３４は音孔３、１ｅによって筐体３１外へ通じているので音孔１から出る音と音孔３から出る音との干渉により音圧周波数補整をすることができる。これは携帯電話のＧＳＭ規格向けの一般的な補整方法に使用できる。その他の作用効果は第１の実施の形態の場合と同じである。なお、追加音孔３、３１ｅの代わりに第２の音響変換器用空間３５の方に筐体３１の外部へ通じる追加音孔を設けてもよい。また、追加音孔３、３１ｅは第１の音響変換器用空間３４と第２の音響変換器用空間３５の両方に設けてもよい。
【００２４】
次に、本発明の第三の実施の形態について説明する。図６は本発明の第三の実施の形態である電気音響変換器及び携帯端末装置を示す断面図である。図６において、４１は第三の実施の形態である複合スピーカを示しており、５０はスピーカ４１を組み込んだ携帯端末装置を示している。５１は樹脂成形品から成る携帯端末装置５０の筐体を示しており、５２は隔壁５１ａで区切られて閉じられた第１の電気音響変換器用空間を示しており、５３は隔壁５１ａと隔壁５１ｂとで区切られた内側の閉じられた第２の電気音響変換器用空間を示している。スピーカ４１は第２の電気音響変換器用空間５３内の筐体５１の間にクッション３３を介して配設されている。５４はスピーカ４１の外側でクッション３３の内側の音孔部空間１を示しており、音孔１、５１ｃによって筐体５１の外部と通じている。５５はスピーカ４１の外側でクッション３３の内側の音孔部空間２を示しており、音孔２、５１ｄによって筐体５１の外部と通じている。
【００２５】
スピーカ４１の構成は第１の実施の形態のスピーカ１の構成とスピーカＡとプロテクタＡの形状だけが異なったものである。４２はスピーカＡを示しており、４３はプロテクタＡを示している。プロテクタＡ４３には側方に膨出部４３ａを有し、スピーカＡ４２の後気室１９から外部へ通じる音響管４３ｃが形成されている。膨出部４２ａは隔壁５１ａを貫通して第１の電気音響変換器用空間５２へ臨んでいる。その他の構成は第１の実施の形態のスピーカ１と同じであるから同じ構成要素には同じ符号と名称とを付して詳細な説明を省略する。
【００２６】
次に、本発明の第三の実施の形態である電気音響変換器及び携帯端末装置の作用効果について説明する。スピーカＡ４２を駆動したときにはスピーカＡ４２の前気室１８から出た音は放音孔４３ｂから音孔部空間１、５４を経て音孔１、５１ｃを通って外部へ出る。一方、後気室１９から出た音は後方放音孔Ａ４３ｃから音響管４３ｄを通って閉じられた空間である第１の電気音響変換器用空間５２へ出る。また、第２スピーカ３を駆動したときには前気室２０から出た音が音孔部空間２、４０から音孔２、５１ｄを通って筐体５１の外部へ出る。一方、後気室２１から出た音は後方放音孔Ｂ４ａを通って閉じられた第２の電気音響変換器用空間５３へ出る。従って、スピーカ４１のスピーカＡ４２の音と第２スピーカ３の音とが互いに干渉することがない。
【００２７】
次に、本発明の第四の実施の形態について説明する。図７は本発明の第四の実施の形態である電気音響変換器及び携帯端末装置を示す断面図である。図７において、５１は第四の実施の形態である複合スピーカを示しており、６０はスピーカ５１を組み込んだ携帯端末装置を示している。６１は樹脂成形品から成る携帯端末装置６０の筐体を示しており、６２は一部に開口を有する隔壁６１ａで区切られた第１の電気音響変換器用空間を示しており、６３は隔壁６１ａと隔壁６１ｂとで区切られて閉じられた第２の電気音響変換器用空間を示している。スピーカ５１は第２の電気音響変換器用空間６３内において、一方の隔壁６１ａにスピーカ５１の側面を接するようにして筐体６１の上下の壁面間にクッション３３を介して配設されている。６４はスピーカ５１の外側でクッション３３の内側の音孔部空間１を示しており、音孔１、６１ｃによって筐体６１の外部と通じている。６５はスピーカ５１の外側でクション３６の内側の音孔部空間２を示しており、音孔２、６１ｄによって筐体６１の外部と通じている。
【００２８】
スピーカ５１の構成は第１の実施の形態のスピーカ１の構成とはプロテクタＡとフレームの形状だけが異なったものである。５２はスピーカＡを示しており、５３は複数の放音孔５３ａを有するプロテクタＡを示している。５４はフレームを示しており、スピーカＡ５２の上面側方には、スピーカＡ５２の後気室１９から後方放音孔Ａ５４ａを経由して第１の電気音響変換器用空間６２へ通じる音響管５４ｃが開口し、フレーム５４の下方側面には、後気室２１から第２の電気音響変換器用空間６３へ通じる後方放音孔Ｂ５４ｂが開口している。その他の構成は第１の実施の形態のスピーカ１と同じであるから同じ構成要素には同じ符号と名称とを付して詳細な説明を省略する。
【００２９】
次に、本発明の第四の実施の形態である電気音響変換器及び携帯端末装置の作用効果について説明する。スピーカＡ５２を駆動したときにはスピーカＡ５２の前気室１８から出た音は放音孔５３ａから音孔部空間１、６４を経て音孔１、６１ｃを通って筐体６１の外部へ出る。一方、後気室１９から出た音は音響管４３ｃを通って第１の電気音響変換器用空間６２へ出る。また、第２スピーカ３を駆動したときには前気室２０から出た音が音孔部空間２、４０から音孔２、６１ｄを通って筐体６１の外部へ出る。一方、後気室２１から出た音は後方放音孔５４ｂを通って第２の電気音響変換器用空間６３へ出る。従って、スピーカ５１のスピーカＡ５２の音とスピーカＢ３の音とが互いに干渉することがない。
【００３０】
次に、本発明の第五の実施の形態について説明する。図８は本発明の第五の実施の形態である電気音響変換器及び携帯端末装置を示す断面図である。図８において、７１は第五の実施の形態である複合スピーカを示しており、７０はスピーカ７１を組み込んだ携帯端末装置を示している。スピーカ７１が第１の実施の形態であるスピーカ１と異なるところはプロテクタＡの形状だけである。７２はスピーカＡを示しており、７３はスピーカ７１のプロテクタＡを示しており、プロテクタＡ７３の中央には音響管２、７３ａを、側方には後気室１９から後方放音孔Ａ７３ｂを通って筐体３１外部へ通じる音響管１、７３ｃが立ち上がって一体に形成されている。その他の構成は第１の実施の形態のスピーカ１と同じであるから同じ構成要素には同じ符号と名称とを付して詳細な説明を省略する。携帯端末装置７０の筐体は第１の実施の形態である携帯端末装置３０の筐体３１と同じであるから、同じ同じ構成要素には同じ符号と名称とを付して詳細な説明を省略する。
【００３１】
次に、本発明の第五の実施の形態である電気音響変換器及び携帯端末装置の作用効果について説明する。スピーカＡ７２を駆動したときにはスピーカＡ７２の前気室１８から出た音は音響管２、７２ａを通って第１の電気音響変換器用空間３４へ出る。一方、後気室１９から出た音は音響管１、７２ｃを通って音孔１、３１ｃを経て筐体３１の外部へ出る。２本の音響管を設けたメリットとして、自由な位置に音響管を導くことにより携帯電話の設計自由度を向上させることができる。また、スピーカＢ３を駆動したときには前気室２０から出た音が音孔部空間２、３８から音孔２、３１ｄを通って筐体３１の外部へ出る。一方、後気室２１から出た音は後方放音孔Ｂ４ｂを通って第２の電気音響変換器用空間３５へ出る。従って、スピーカ７１のスピーカＡ７２の音とスピーカＢ３の音とが互いに干渉することがない。
【産業上の利用可能性】
【００３２】
本発明の電気音響変換器及び携帯端末装置は、携帯電話、ノート型ＰＣ、ＰＤＡ、ゲーム機、ページャー等に広く適用できるものである。
【図面の簡単な説明】
【００３３】
【図１】本発明の第１の実施の形態である電気音協変換器を示す断面図である。
【図２】本発明の第１の実施の形態である電気音協変換器を組み込んだ携帯端末装置を示す平面図である。
【図３】本発明の第１の実施の形態である電気音協変換器及び携帯端末装置を示す断面図である。
【図４】図３のＡ−Ａ矢視平面を示す平面図である。
【図５】本発明の第２の実施の形態である電気音協変換器及び携帯端末装置を示す断面図である。
【図６】本発明の第３の実施の形態である電気音協変換器及び携帯端末装置を示す断面図である。
【図７】本発明の第４の実施の形態である電気音協変換器及び携帯端末装置を示す断面図である。
【図８】本発明の第５の実施の形態である電気音協変換器及び携帯端末装置を示す断面図である。
【図９】従来の電気音協変換器及び携帯端末装置を示す断面図である。
【符号の説明】
【００３４】
１、４１、７１  スピーカ
２、４２、５２、７２  スピーカＡ
３  スピーカＢ
４、５４  フレーム
５  ポールピース
６  磁石Ａ
７  磁石Ｂ
８  トッププレートＡ
９  トッププレートＢ
１０  振動板Ａ
１１  振動板Ｂ
１２  ボイスコイルＡ
１３  ボイスコイルＢ
１７、４３、５３  プロテクタＡ
１７ｃ、４３ｄ、５４ｃ  音響管
２３  プロテクタＢ
１８、２０  前気室
１９、２１  後気室
３０、４０、５０、６０、７０  携帯端末装置
３１、５１、６１  筐体
３１ａ、５１ａ、６１ａ  隔壁
３１ｂ、５１ｂ、６１ｂ  隔壁
３１ｃ、５１ｃ、６１ｃ  音孔１
３１ｄ、５１ｄ、６１ｄ  音孔２
３２  天蓋
３２ａ、３２ｂ  穴
３８、５５、６５  音孔部空間２
３４、５２、６２  第１の電気音響変換器用空間
３５、５３、６３  第２の電気音響変換器用空間
５４、６４  音孔部空間１
【図１】
2006191213.tif 000003
【図２】
2006191213.tif 000004
【図３】
2006191213.tif 000005
【図４】
2006191213.tif 000006
【図５】
2006191213.tif 000007
【図６】
2006191213.tif 000008
【図７】
2006191213.tif 000009
【図８】
2006191213.tif 000010
【図９】
2006191213.tif 000011